(57)【特許請求の範囲】
【請求項１】
板状の複数枚のパネルを、前後方向に所定間隔を隔てた状態でハンガーレールに沿って移動可能に吊下支持したパネルカーテンにおいて、
前記パネルの背面下端部に該パネルの移動方向に沿ってガイド部材を設け、各パネルの後方に隣接して吊下支持されるパネルには、前記ガイド部材を相対移動可能に保持する保持部材を備え、
前記ガイド部材を前記パネルに張設されたガイドコードで構成し、前記保持部材を前記ガイドコードを挿通した第一のガイドリングで構成し、
前記各パネルを平板状のカーテン生地で構成し、前記カーテン生地の下端部に該カーテン生地で被覆されるとともに該カーテン生地と同一幅のウェイト板を設け、前記ガイドコードを前記ウェイト板に張設し、前記第一のガイドリングをウェイト板の先端部に設け、前記ガイドコードには前記パネルを引き出したとき、該パネルの重なりを確保するように前記第一のガイドリングの移動範囲を規制する規制部材を備えたことを特徴とするパネルカーテン。
【請求項２】
前記ガイドコードを前記パネルのウェイト板に着脱可能に取着したことを特徴とする請求項１記載のパネルカーテン。
【請求項３】
前記ガイドコードを前記ウェイト板の両端部間に張設し、前記規制部材は前記ガイドコードが挿通されると共に、前記カーテン生地の後端部近傍において前記カーテン生地に取着された第二のガイドリングで構成したことを特徴とする請求項１又は２に記載のパネルカーテン。
【請求項４】
前記規制部材は、前記ガイドコードを前記ウェイト板の先端と後端部近傍との間に張設して構成したことを特徴とする請求項１又は２に記載のパネルカーテン。
【請求項５】
板状の複数枚のパネルを、前後方向に所定間隔を隔てた状態でハンガーレールに沿って移動可能に吊下支持したパネルカーテンにおいて、
前記パネルの背面下端部に該パネルの移動方向に沿ってガイド部材を設け、各パネルに隣接して吊下支持されるパネルには第一のガイドリングを取着し、該第一のガイドリングには前記ガイド部材を挿通して相対移動可能に保持し、前記第一のガイドリングを開閉可能として前記ガイド部材を着脱可能としたことを特徴とするパネルカーテン。
【請求項６】
前記ガイド部材には前記パネルを引き出したとき、該パネルの重なりを確保するように前記第一のガイドリングの移動範囲を規制する規制部材を備え、前記規制部材に前記ガイド部材を挿通し、前記規制部材を前記パネルに着脱可能に取着したことを特徴とする請求項５記載のパネルカーテン。
【発明の詳細な説明】
【技術分野】
【０００１】
この発明は、板状のカーテン生地あるいはパネルをハンガーレールに沿って引き出して、カーテンあるいは間仕切りとして使用するパネルカーテンに関するものである。
【背景技術】
【０００２】
平板状のカーテン生地を使用したパネルカーテンは、複数枚のカーテン生地がそれぞれ吊下枠から吊下支持され、各吊下枠がハンガーレールに沿って移動可能に支持される。そして、各カーテン生地をハンガーレールに沿って引き出すことにより、そのカーテン生地で窓外からの外光を遮り、各カーテン生地をハンガーレールの一方に移動させれば、窓面を開放可能となっている。
【０００３】
このようなパネルカーテンでは、図８に示すように、複数枚のカーテン生地１を最大限まで引き出したとき、隣り合う各カーテン生地１の端部が重なり合うようにして、外光の洩れを阻止している。
【０００４】
特許文献１には、上記のようなパネルカーテンが開示されている。
【特許文献１】実開昭６０−１３０９２号公報
【発明の開示】
【発明が解決しようとする課題】
【０００５】
図８に示すパネルカーテンでは、カーテン生地１が吊下枠から吊下支持されているため、窓外からの風等によりカーテン生地１の下端部が揺れて絡み合い、隣り合うカーテン生地１が前後方向に入れ替わってしまうことがある。このような状況では、外光の洩れが生じると共に、美観上好ましくないという問題点がある。
【０００６】
特許文献１に記載されたパネルカーテンでは、各パネル下端のボトムフレームに溝を設け、ボールチェーンの両端部を隣り合うパネルの溝に移動可能に取着することにより、パネル下端部の絡み合い及び前後方向の入れ替わりを防止している。
【０００７】
ところが、このような構成ではボトムフレーム及びボールチェーン等の紐状物が露出するため、美観上好ましくないという問題点がある。
この発明の目的は、パネル下端部の絡み合い及び前後方向の入れ替わりを防止しながら、美観の低下を防止し得るパネルカーテンを提供することにある。
【課題を解決するための手段】
【０００８】
請求項１では、板状の複数枚のパネルを、前後方向に一定間隔を隔てた状態でハンガーレールに沿って移動可能に吊下支持したパネルカーテンにおいて、前記パネルの背面下端部に該パネルの移動方向に沿ってガイド部材を設け、各パネルの後方に隣接して吊下支持されるパネルには、前記ガイド部材を相対移動可能に保持する保持部材を備え、前記ガイド部材を前記パネルに張設されたガイドコードで構成し、前記保持部材を前記ガイドコードを挿通した第一のガイドリングで構成し、前記各パネルを平板状のカーテン生地で構成し、前記カーテン生地の下端部に該カーテン生地で被覆されるとともに該カーテン生地と同一幅のウェイト板を設け、前記ガイドコードを前記ウェイト板に張設し、前記第一のガイドリングをウェイト板の先端部に設け、前記ガイドコードには前記パネルを引き出したとき、該パネルの重なりを確保するように前記第一のガイドリングの移動範囲を規制する規制部材を備えた。
【０００９】
請求項２では、前記ガイドコードを前記パネルのウェイト板に着脱可能に取着した。
【００１１】
請求項３では、前記ガイドコードを前記ウェイト板の両端部間に張設し、前記規制部材は前記ガイドコードが挿通されると共に、前記カーテン生地の後端部近傍において前記カーテン生地に取着された第二のガイドリングで構成した。
【００１２】
請求項４では、前記規制部材は、前記ガイドコードを前記ウェイト板の先端と後端部近傍との間に張設して構成した。
請求項５では、板状の複数枚のパネルを、前後方向に所定間隔を隔てた状態でハンガーレールに沿って移動可能に吊下支持したパネルカーテンにおいて、前記パネルの背面下端部に該パネルの移動方向に沿ってガイド部材を設け、各パネルに隣接して吊下支持されるパネルには第一のガイドリングを取着し、該第一のガイドリングには前記ガイド部材を挿通して相対移動可能に保持し、前記第一のガイドリングを開閉可能として前記ガイド部材を着脱可能とした。
【００１３】
請求項６では、前記ガイド部材には前記パネルを引き出したとき、該パネルの重なりを確保するように前記保持部材の移動範囲を規制する規制部材を備え、前記規制部材に前記ガイド部材を挿通し、前記規制部材を前記パネルに着脱可能に取着した。
【発明の効果】
【００１４】
本発明によれば、パネル下端部の絡み合い及び前後方向の入れ替わりを防止しながら、美観の低下を防止し得るパネルカーテンを提供することができる。
【発明を実施するための最良の形態】
【００１５】
（第一の実施の形態）
以下、この発明を具体化した第一の実施の形態を図面に従って説明する。図１に示すパネルカーテンは、ハンガーレール１１が取付ブラケット１２を介して取付面１３に取着され、そのハンガーレール１１に例えば４枚のカーテン生地（パネル）１４ａ〜１４ｄが移動可能に吊下支持されている。
【００１６】
詳述すると、ハンガーレール１１は２条のレール部１５ａ，１５ｂを備え、レール部１５ａにはそれぞれ複数のランナー１６ａ，１６ｂが移動可能に支持され、レール部１５ｂにはそれぞれ複数のランナー１６ｃ，１６ｄが移動可能に支持されている。
【００１７】
前記ランナー１６ａには吊下枠１７ａが支持され、ランナー１６ｂには吊下枠１７ｂが支持されている。同様に、ランナー１６ｃには吊下枠１７ｃが支持され、ランナー１６ｄには吊下枠１７ｄが支持されている。各ランナー１６ａ〜１６ｄは、吊下枠１７ａ〜１７ｄをそれぞれ一定間隔を隔てて吊下支持するように構成される。
【００１８】
前記吊下枠１７ａ〜１７ｄにはそれぞれカーテン生地１４ａ〜１４ｄの上端部が面ファスナー１８で接着されている。従って、各カーテン生地１４ａ〜１４ｄは前後方向に一定間隔を隔てて吊下支持されている。
【００１９】
前記カーテン生地１４ａ〜１４ｄの下端部は、上方に折り返して縫製されて袋状部１９が形成され、その袋状部１９内には、図２に示すように、ウェイト板２０がそれぞれ挿入されている。前記ウェイト板２０の両端部にはウェイトキャップ２１ａ，２１ｂがそれぞれ嵌着されている。
【００２０】
カーテン生地１４ａ〜１４ｃの各ウェイトキャップ２１ａ，２１ｂ間には、ガイドコード（ガイド部材）２２が張設されている。このガイドコード２２は、その両端部に形成された結び玉が前記ウェイトキャップ２１ａ，２１ｂに着脱可能に掛止めされている。
【００２１】
前記カーテン生地１４ａ〜１４ｄのうち、最も室内側に吊下支持されるカーテン生地１４ａを除き、カーテン生地１４ｂ〜１４ｄの先頭側のウェイトキャップ２１ａには第一のガイドリング（保持部材）２３ａがそれぞれ取着されている。各第一のガイドリング２３ａにはその室内側に位置するカーテン生地１４ａ〜１４ｃのウェイトキャップ２１ａ，２１ｂ間に張設されたガイドコード２２が挿通されている。
【００２２】
また、前記カーテン生地１４ａ〜１４ｃのウェイト板２０の背面側において、カーテン生地１４ａ〜１４ｃの後端近傍には第二のガイドリング（規制部材）２３ｂがそれぞれ取着され、その第二のガイドリング２３ｂに前記ガイドコード２２が挿通されている。各第二のガイドリング２３ｂは、同一のガイドコード２２が挿通された前記第一のガイドリング２３ａよりカーテン生地１４ａ〜１４ｄの後端側に位置し、例えばカーテン生地１４ａ〜１４ｃに縫着されている。
【００２３】
前記カーテン生地１４ａの先端側には、操作棒（図示しない）が垂下され、その操作棒の操作により、カーテン生地１４ａをハンガーレール１１に沿って移動操作可能となっている。
【００２４】
次に、上記のように構成されたパネルカーテンの動作を説明する。図２は、各カーテン生地１４ａ〜１４ｄをハンガーレール１１の一端側に畳み込んだ状態を示す。この状態から、操作棒を操作して、カーテン生地１４ａをハンガーレールに沿って矢印Ａ方向に移動させると、カーテン生地１４ａの第二のガイドリング２３ｂがカーテン生地１４ｂの第一のガイドリング２３ａに当接するまでは、カーテン生地１４ａのみが移動する。
【００２５】
そして、カーテン生地１４ａの第二のガイドリング２３ｂがカーテン生地１４ｂの第一のガイドリング２３ａに当接すると、カーテン生地１４ａに追随してカーテン生地１４ｂが移動する。
【００２６】
同様にして、カーテン生地１４ｂの第二のガイドリング２３ｂがカーテン生地１４ｃの第一のガイドリング２３ａに当接すると、カーテン生地１４ｂに追随してカーテン生地１４ｃが移動する。そして、カーテン生地１４ｃの第二のガイドリング２３ｂがカーテン生地１４ｄの第一のガイドリング２３ａに当接すると、図３に示すように、各カーテン生地１４ａ〜１４ｄが全閉位置まで引き出される。
【００２７】
一方、カーテン生地１４ａ〜１４ｄを畳み込む場合には、カーテン生地１４ａを図３に示す矢印Ｂ方向に移動させる。すると、カーテン生地１４ａの先端部がカーテン生地１４ｂの第一のガイドリング２３ａの位置に移動した時点で、カーテン生地１４ｂがカーテン生地１４ａに追随して移動する。
【００２８】
同様にして、カーテン生地１４ｂの先端部がカーテン生地１４ｃの第一のガイドリング２３ａの位置に移動すると、カーテン生地１４ｃがカーテン生地１４ｂに追随して移動する。カーテン生地１４ｃの先端部がカーテン生地１４ｄの第一のガイドリング２３ａの位置に移動すると、図２に示すように、カーテン生地１４ａ〜１４ｄが全開位置まで畳み込まれる。
【００２９】
図３に示すように、各カーテン生地１４ａ〜１４ｄを引き出した状態では、カーテン生地１４ｂの第一のガイドリング２３ａがカーテン生地１４ａのガイドコード２２に保持されているため、カーテン生地１４ｂの先端部とカーテン生地１４ａとが前後方向に入れ替わることはない。
【００３０】
同様に、カーテン生地１４ｃの第一のガイドリング２３ａがカーテン生地１４ｂのガイドコード２２に保持されているため、カーテン生地１４ｃの先端部とカーテン生地１４ｂとが前後方向に入れ替わることはない。また、カーテン生地１４ｄの第一のガイドリング２３ａがカーテン生地１４ｃのガイドコード２２に保持されているため、カーテン生地１４ｄの先端部とカーテン生地１４ｃとが前後方向に入れ替わることはない。
【００３１】
上記のように構成されたパネルカーテンでは、次に示す作用効果を得ることができる。
（１）操作棒を操作してカーテン生地１４ａを移動操作することにより、後続のカーテン生地１４ｂ〜１４ｄを引き出し、あるいは畳み込むことができる。
（２）カーテン生地１４ｂ〜１４ｄの先端部は、その室内側に位置するカーテン生地１４ａ〜１４ｃのガイドコード２２で保持されている。従って、各カーテン生地１４ａ〜１４ｄの下端部の前後方向の入れ替わりを防止することができる。
（３）各ガイドコード２２と、第一及び第二のガイドリング２３ａ，２３ｂは、各カーテン生地１４ａ〜１４ｄの背面側に位置して室内側に露出しないので、このパネルカーテンの美観を向上させることができる。
（４）第一のガイドリング２３ａを第二のガイドリング２３ｂに当接させて、隣接するカーテン生地の重なり寸法を確保することができる。
（５）各カーテン生地１４ａ〜１４ｄを吊下枠１７ａ〜１７ｄから取り外し、各ガイドコード２２の両端部をウェイトキャップ２１ａ，２１ｂから取り外すとともに、第一及び第二のガイドリング２３ａ，２３ｂから引き抜くと、カーテン生地１４ａ〜１４ｄを分離することができる。そして、分離されたカーテン生地１４ａ〜１４ｄを洗濯することができる。
（第二の実施の形態）
図４及び図５は、第二の実施の形態を示す。この実施の形態は、各カーテン生地のコードガイドを、各カーテン生地の先端部から後端部近傍にかけて張設したものである。前記第一の実施の形態と同一構成部分は、同一符号を付して説明する。
【００３２】
カーテン生地１４ｄを除く各カーテン生地１４ａ〜１４ｃのウェイト板２０の背面側にはガイドコード２４が取着されている。そのガイドコード２４は、一端がウェイト板２０の先端部において、同ウェイト板２０を被覆するカーテン生地１４ａ〜１４ｃに取着され、他端がウェイト板２０の後端近傍において、同ウェイト板２０を被覆するカーテン生地１４ａ〜１４ｃに取着されて、第一のガイドリング２３ａの移動範囲を規制する規制部材を構成している。
【００３３】
カーテン生地１４ｂ〜１４ｄのウェイト板２０の先端には第一のガイドリング２３ａが取着され、各第一のガイドリング２３ａにはその室内側に位置するカーテン生地１４ａ〜１４ｃに取着されているガイドコード２４が挿通されている。
【００３４】
このような構成により、各カーテン生地１４ｂ〜１４ｄの第一のガイドリング２３ａは、各コードガイド２４の範囲で移動可能となるため、各カーテン生地１４ａ〜１４ｄを図４に示す全開状態から図５に示す全閉状態までの範囲で移動操作可能である。
【００３５】
従って、このような構成により前記第一の実施の形態と同様な作用効果を得ることができる。
上記実施の形態は、以下の態様で実施してもよい。
・ガイドコードは、ボールチェーンあるいは細い棒状部材等でもよい。
・第一の実施の形態において、第二のガイドリング２３ｂは第一のガイドリング２３ａの移動を阻止する結び玉等に変更してもよい。
・ガイドリング及びガイドコードをパネルの上下方向中間部に設けて、各パネルの中間部の前後方向の入れ替わりを防止するようにしてもよい。
・図６（ａ）に示すように、合成樹脂の線材を環状に屈曲して形成した第一及び第二のガイドリング２３ａ，２３ｂをカーテン生地１４ａ〜１４ｄに縫着し、その第一及び第二のガイドリング２３ａ，２３ｂにガイドコード２２を挿通するようにしてもよい。このような構成により、ガイドコード２２を第一及び第二のガイドリング２３ａ，２３ｂの両端部間の隙間から取り外し可能とすることができる。従って、各カーテン生地１４ａ〜１４ｄを容易に分離して洗濯することができる。また、第一及び第二のガイドリング２３ａ，２３ｂを合成樹脂で成形したので、金属のガイドリングに比して、洗濯による錆の発生を防止することができる。
・図６（ｂ）に示すように、第一及び第二のガイドリング２３ａ，２３ｂは金属の線材を屈曲した二連の環状リングで構成し、その環状リングの一方のリングをカーテン生地１４ａ〜１４ｄに縫着された取付部材２５に着脱可能に取着し、他方のリングにガイドコード２２を挿通するようにしてもよい。このような構成により、第一及び第二のガイドリング２３ａ，２３ｂをカーテン生地１４ａ〜１４ｄから容易に取り外すことができる。また、ガイドコード２２を第一及び第二のガイドリング２３ａ，２３ｂから取り外すこともできる。従って、各カーテン生地１４ａ〜１４ｄを容易に分離して洗濯することができる。
・カーテン生地は、平板状の生地以外に、上下方向あるいは左右方向に波形あるいはジグザグ状とした生地としてもよい。
・図７に示すように、カーテン生地の背面側において、カーテン生地の袋状部１９にその長手方向に沿って２条の切り裂きを設けて帯状部２６をガイド部材として形成し、その帯状部２６を第一のガイドリング２３ａに挿通してもよい。このような構成により、第一のガイドリング２３ａを帯状部２６で移動可能に保持することができる。
【図面の簡単な説明】
【００３６】
【図１】第一の実施の形態のパネルカーテンを示す側面図である。
【図２】第一の実施の形態のパネルカーテン畳み込んだ状態を示す平面図である。
【図３】第一の実施の形態のパネルカーテン引き出した状態を示す平面図である。
【図４】第二の実施の形態のパネルカーテン畳み込んだ状態を示す平面図である。
【図５】第二の実施の形態のパネルカーテン引き出した状態を示す平面図である。
【図６】（ａ）（ｂ）は第一及び第二のガイドリングの別例を示す平面図である。
【図７】ガイド部材の別例を示す斜視図である。
【図８】従来例を示す斜視図である。
【符号の説明】
【００３７】
１１…ハンガーレール、１４ａ〜１４ｄ…パネル（カーテン生地）、２０…ウェイト板、２２，２４…ガイド部材（ガイドコード）、２３ａ…保持部材（第一のガイドリング）、２３ｂ…規制部材（第二のガイドリング）。
【図１】
0005150057.tif 000002
【図２】
0005150057.tif 000003
【図３】
0005150057.tif 000004
【図４】
0005150057.tif 000005
【図５】
0005150057.tif 000006
【図６】
0005150057.tif 000007
【図７】
0005150057.tif 000008
【図８】
0005150057.tif 000009